【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
構造アセンブリを着脱可能に構成する際に用いられる可搬のモジュールコンポーネントのキットであって、
１対の反対向きの雄の端部を有している１つまたは複数の第１の細長い構造支持コンポーネントと、
１対の反対向きの端部を有しており、第１の端部は雄の端部であり、第２の端部は雌の端部である１つまたは複数の第２の細長い構造支持コンポーネントと、
１対の反対向きの雌の端部を有している１つまたは複数の第３の細長い構造支持コンポーネントと
の少なくとも１つを含んでおり、
前記雄の端部は、前記雌の端部に着脱可能に係合するように構成され、前記雄の端部の各々は、円柱形の本体を備え、該円柱形の本体の外周面に少なくとも１つの直線状の突起セットが存在し、各々の突起セットは、間隔を空けて位置する２つ以上の突起を有しており、
前記雌の端部の各々は、前記円柱形の本体を着脱可能に受け入れて係合するように構成された円柱形のレセプタクルを有し、
前記雌の端部の各々は、前記雄の端部のうちの１つに解除可能に係合する第１のロック用アセンブリを備えている、キット。
【請求項２】
前記レセプタクルは、前記少なくとも１つの直線状の突起セットをスライドによって受け入れる１つ以上の直線状チャネルを有する、請求項１に記載のキット。
【請求項３】
前記レセプタクルは、前記少なくとも１つの直線状の突起セットをスライドによって受け入れる１つ又は複数の突起保持スロットを有する、請求項１に記載のキット。
【請求項４】
前記雌の端部の２つ以上が、前記雄の端部のひとつと着脱可能に係合する前記第１のロック用アセンブリを備えいる、請求項１に記載のキット。
【請求項５】
前記第１のロック用アセンブリは、複数の可搬のモジュラーコンポーネントの他方から外方向に延びる雄の端部のアセンブリのベースに提供される第１のロックスプロケットと可逆的に係合するように構成されている、請求項１または４に記載のキット。
【請求項６】
前記第１のロック用アセンブリは、延長および出し入れ可能なインデキシングペグである、請求項５に記載のキット。
【請求項７】
第１の雄の端部のアセンブリの前記ベースに提供された前記第１のロックスプロケットは、前記可搬のモジュラーコンポーネントのひとつの可搬のモジュラーコンポーネントの平面と、前記第１の雄の端部のアセンブリとを着脱可能に係合する平面を有する、請求項５に記載のキット。
【請求項８】
第２の雄の端部のアセンブリの前記ベースに提供された第２のロックスプロケットは、前記可搬のモジュラーコンポーネントのひとつの可搬のモジュラーコンポーネントの丸い面と、前記第２の雄の端部のアセンブリとを着脱可能に係合する凹面を有する、請求項５に記載のキット。
【請求項９】
前記雌の端部の少なくとも１つは第２のロック用アセンブリを備え、当該第２のロック用アセンブリは保持ロックを有し、当該保持ロックは保持ロックハーフを有し、当該保持ロックハーフは解除ボタンを有する保持ロックハーフと協働する１つ以上のばねレセプタクルを有する、請求項１から４のいずれか１項に記載のキット。
【請求項１０】
前記レセプタクルの外側の壁が、当該壁に沿って長手軸方向に延びて着脱可能に係合する蓋を備え、当該蓋を取り外すことにより、円筒状本体を前記レセプタクルに横方向に挿入するために、円柱形のレセプタクルが開き、前記蓋が再係合することにより、前記円筒状本体と前記レセプタクルとが堅固に係合する、請求項１から９のいずれか１項に記載のキット。
【請求項１１】
前記第１の細長い構造支持コンポーネントまたは前記第２の細長い構造支持コンポーネントの前記雄の端部のうちの１つが、前記第２または前記第３の細長い構造支持コンポーネントの長手軸を中心にして回転可能である、請求項１から１０のいずれか１項に記載のキット。
【請求項１２】
前記第２の細長い構造支持コンポーネントまたは前記第３の細長い構造支持コンポーネントの前記雌の端部のうちの１つが、前記第１または前記第２の細長い構造支持コンポーネントの長手軸を中心にして回転可能である、請求項１から１１のいずれか１項に記載のキット。
【請求項１３】
前記第１の細長い構造支持コンポーネントおよび／または前記第２の細長い構造支持コンポーネントおよび／または前記第３の細長い構造支持コンポーネントは、半径方向に外側へと延びる１つ以上の着脱可能な雄の端部を有し、該雄の端部の各々は、円柱形の本体を備え、該円柱形の本体の外周面に少なくとも１つの直線状の突起セットが存在し、各々の突起セットは、間隔を空けて位置する２つ以上の突起を有し、該雄の端部の各々は、前記雌の端部に回転可能または固定可能で着脱可能に係合するように構成されている、請求項１から１２のいずれか１項に記載のキット。
【請求項１４】
撮像装置および／または録音装置および／または音響再生装置および／または照明装置および／または光案内装置および／またはホイールアセンブリおよび／またはパワーツール用マウントプレートを着脱可能に係合させるように構成された１つ以上のモジュールをさらに備え、該モジュールの各々は、（ｉ）前記第２の細長い構造支持コンポーネントまたは前記第３の細長い構造支持コンポーネントに回転可能または固定的に着脱可能に係合するための雄の端部コンポーネント、あるいは（ｉｉ）前記第１の細長い構造支持コンポーネントまたは前記第２の細長い構造支持コンポーネントに回転可能または固定可能で着脱可能に係合するための雌の端部コンポーネントを備えている、請求項１から１３のいずれか１項に記載のキット。
【請求項１５】
ホイールモジュールおよび／または釣り合いおもりバランスモジュールおよび／またはドームパッドモジュールおよび／または座席モジュールのうちの１つ以上をさらに備え、前記ホイールモジュール、前記釣り合いおもりバランスモジュール、前記ドームパッドモジュール、および前記座席モジュールの各々は、（ｉ）前記第２の細長い構造支持コンポーネントまたは前記第３の細長い構造支持コンポーネントに回転可能または固定可能で着脱可能に係合するための雄の端部コンポーネントあるいは（ｉｉ）前記第１の細長い構造支持コンポーネントまたは前記第２の細長い構造支持コンポーネントに回転可能または固定可能で着脱可能に係合するための雌の端部コンポーネントを備えている、請求項１から１４のいずれか１項に記載のキット。
【請求項１６】
１つ以上のキャップ用モジュールをさらに備え、前記キャップ用モジュールは、（ｉ）前記第２の細長い構造支持コンポーネントまたは前記第３の細長い構造支持コンポーネントに着脱可能に係合するための雄の端部コンポーネント、あるいは（ｉｉ）前記キャップ用モジュールは、前記第１の細長い構造支持コンポーネントまたは前記第２の細長い構造支持コンポーネントに着脱可能に係合するための雌の端部コンポーネントを備えている、請求項１から１５のいずれか１項に記載のキット。
【請求項１７】
前記キャップ用モジュールは、ハンドグリップモジュール、ハンドルモジュール、固定式足モジュール、調整式足モジュール、キャップ付き端部プラグモジュール、キャッププレートモジュール、バンパーモジュール、および吸着カップモジュールのうちの１つまたは複数のものである、請求項１６に記載のキット。
【請求項１８】
細長い構造要素が、前記第１の細長い構造支持コンポーネントの対向する雄の端部の対および／または前記第２の細長い構造支持コンポーネントの対向する端部の対および／または前記第３の細長い構造支持コンポーネントの対向する雌の端部の対に介装され、前記細長い構造要素は、管またはロッドであり、該管または該ロッドは、円形の断面または楕円形の断面または正方形の断面または矩形の断面または台形の断面または三角形の断面または六角形の断面または八角形の断面または十角形の断面またはＩ字形の断面を有している、請求項１から１７のいずれか１項に記載のキット。
【請求項１９】
前記第１の細長い構造要素および／または前記第２の細長い構造要素および／または前記第３の細長い構造要素は、半径方向に外側へと延びる１つ以上の着脱可能な雄の端部を有し、該雄の端部の各々は、円柱形の本体を備え、該円柱形の本体の外周面に少なくとも１つの直線状の突起セットが存在し、各々の突起セットは、間隔を空けて位置する２つ以上の突起を有し、該雄の端部の各々は、前記雌の端部に回転可能または固定可能で着脱可能に係合するように構成されている、請求項１８に記載のキット。
【請求項２０】
１つ以上の平らなシートストックモジュールをさらに備え、当該１つ以上の平らなシートストックモジュールが、当該１つ以上の平らなシートストックモジュールを備える１つ以上の雄端部コンポーネントを固定可能で係合可能である、あるいは１つ以上のオリフィスに前記第１の細長い構造支持コンポーネントまたは要素、あるいは第２の細長い構造支持コンポーネントまたは要素、あるいは第３の細長い構造支持コンポーネントまたは要素の１つ以上を着脱可能で係合可能である、請求項１から１９のいずれか１項に記載のキット。
【請求項２１】
１つ以上のトレイアセンブリをさらに備え、
当該トレイアセンブリは、
各々の角が少なくとも部分的に内部で丸くなっているトレイボタンコンポーネントと、
複数の前記可搬のモジュールコンポーネントであって、両端部が雌の円柱形のレセプタクルあるいは雄の円柱形のレセプタクルを備え、あるいは一方の端部が雌の円柱形のレセプタクルを備えると共に他方の端部が雄の端部を備え、前記複数の可搬のモジュラーコンポーネントの各々は、前記トレイボタンコンポーネントの前記少なくとも部分的に内部に丸くなっている角のひとつをスライドによって係合する直径を有する、前記複数の可搬もモジュールコンポーネントとを備え、
前記複数の可搬のモジュールコンポーネントの各々は、１つ以上のカラーコンポーネントとスライドによって係合し、当該カラーコンポーネントは、前記可搬のモジュラーコンポーネントと着脱可能に係合するように構成されることにより、前記トレイボタンコンポーネントに対して安定した支持を提供する、請求項１から２０のいずれか１項に記載のキット。
【請求項２２】
１つ以上のトレイ側面コンポーネントをさらに備え、各々のトレイ側面コンポーネントは、１つ以上のカラーコンポーネントと着脱可能に係合しており、当該カラーコンポーネントは、前記トレイボタンコンポーネントの前記角に位置している対向する可搬のモジュラーコンポーネントと着脱可能に係合している、請求項２１に記載のキット。
【請求項２３】
１つ以上の２ピースカラークランプをさらに備え、当該１つ以上の２ピースカラークランプの外向き面が、１つの雄の端部、２つの雄の端部、３つの雄の端部または４つの雄の端部と着脱可能に係合する、請求項１から２２のいずれか１項に記載のキット。
【請求項２４】
前記１つ以上の２ピースカラークランプは、前記第１の細長い構造支持コンポーネントおよび／または前記第２の細長い構造支持コンポーネントおよび／または前記第３の細長い構造支持コンポーネントおよび／または前記第１の細長い構造支持要素および／または前記第２の細長い構造支持要素および／または前記第３の細長い構造支持要素と着脱可能に係合するように構成されている、請求項２３に記載のキット。
【請求項２５】
１つ以上の３ピースカラークランプをさらに備え、（ｉ）前記カラークランプのピースのうちの１つは、シャフトの約半分を囲むように構成され、当該１つのピースは、１つの雄の端部または２つの雄の端部または３つの雄の端部または４つの雄の端部と着脱可能に係合するように構成された外向き面を有しており、（ｉｉ）残りの２つのピースは、一致しており、前記シャフトの約４分の１を囲むように構成される、請求項１から２４のいずれか１項に記載のキット。
【請求項２６】
前記１つ以上のカラークランプは、さらにフラットプレートと着脱可能に係合するように構成されている、請求項２３から２５のいずれか１項に記載のキット。
【請求項２７】
前記フラットプレートは、撮像装置および／または録音装置および／または音響再生装置および／または照明装置および／または光案内装置を着脱可能に係合させるように構成された、請求項２６に記載のキット。
【請求項２８】
１つ以上の外向きの雄の端部と着脱可能に係合する１つ以上の取り付けブロックをさらに備える、請求項１から２７のいずれか１項に記載のキット。
【請求項２９】
前記取り付けブロックは、立方体、または底部と３つの上方へと延びる面とを有する等辺ピラミッド、または底部と４つの上方へと延びる面とを有する等辺ピラミッドのうちの１つである、請求項２８に記載のキット。
【請求項３０】
前記取り付けブロックは、円形シャフト、三角形シャフト、正方形シャフト、矩形シャフト、五角形シャフト、六角形シャフト、七角形シャフト、八角形シャフト、および十角形シャフトのうちの１つである、請求項２８に記載のキット。
【請求項３１】
１対の反対向きの雄の端部を有している１つまたは複数の第４の細長い構造支持コンポーネントと、
１対の反対向きの端部を有しており、第１の端部は雄の端部であり、第２の端部は雌の端部である１つまたは複数の第５の細長い構造支持コンポーネントと、
の少なくとも１つをさらに含んでおり、
前記雄の端部は、前記雌の端部に着脱可能に係合するように構成され、前記雄の端部の各々は、円柱形の本体を備える、請求項１から３０のいずれか１項に記載のキット。
【請求項３２】
１つ以上の第１のレール転がりモジュールをさらに備え、各々のレール転がりモジュールは、
外向き面と、反対側の内側レール対向面とを有するキャリッジプレートと、
前記キャリッジプレートの前記外向き面に係合している雄の端部であって、当該雄の端部は、円柱形の本体を備えており、該円柱形の本体の外周面に少なくとも１つの直線状の突起セットが存在する前記雄の端部と、
前記キャリッジプレートの前記内側レール対向面に向かってまたは前記内側レール対向面から延びる一致する斜めのアクスル端部を有しているアクスルブロックと、各々の斜めのアクスル端部に着脱可能に係合した自由に回転するローラとを各々が備えており、前記キャリッジプレートのおおむね両端部において前記キャリッジプレートに係合した１対のローラアセンブリと
を備える、請求項１から３１のいずれか１項に記載のキット。
【請求項３３】
前記斜めのアクスル端部の各々は、５度〜８０度の範囲から選択される角度で前記キャリッジプレートの前記内側レール対向面に向かってまたは前記内側レール対向面から延びている、請求項３２に記載のキット。
【請求項３４】
間隔プレートが、前記キャリッジプレートの前記外向き面に着脱可能に係合し、前記雄の端部は、前記間隔プレートに着脱可能に係合する、請求項３２に記載のキット。
【請求項３５】
前記ローラアセンブリの各々に、衝撃吸収要素が取り付けられている、請求項３２に記載のキット。
【請求項３６】
前記キャリッジプレートの前記内側レール対向面に、レールに制御可能に接離する出し入れ可能な摩擦プレートが取り付けられている、請求項３２に記載のキット。
【請求項３７】
第２のレール転がりモジュールをさらに備え、当該第２のレール転がりモジュールの各々は、少なくとも１つの側板によって相互接続された２つの第１のレール転がりモジュールを備え、前記側板は、第１の端部において、前記第１のレール転がりモジュールのうちの一方のレール転がりモジュールの前記１対のローラアセンブリの間に位置する前記キャリッジプレートの前記内側レール対向面または側縁に取り付けられ、前記側板は、第２の反対側の端部において、前記第１のレール転がりモジュールのうちの他方のレール転がりモジュールの前記１対のローラアセンブリの間に位置する前記キャリッジプレートの前記内側レール対向面または側縁に取り付けられている、請求項３２から３６のいずれか１項に記載のキット。
【請求項３８】
前記少なくとも１つの側板の外向き面が、（ｉ）外向きに延びる雄の端部と係合する、または（ｉｉ）前記雄の端部と着脱可能に係合する間隔プレートと係合する、請求項３７に記載のキット。
【請求項３９】
構造アセンブリを構成する着脱可能に使用する可搬のモジュラーコンポーネントであって、
中空の細長い本体部と、
一対の反対向きの端部とを備え、
（ｉ）前記一対の端部の両方は雄の端部を祖姉、当該雄の端部は円柱形の本体を備え、当該円柱形の本体は該円柱形の本体の外周面に少なくとも１つの直線状の突起セットが存在し、各々の突起セットは間隔を空けて位置する２つ以上の突起を有している、および／または（ｉｉ）前記端部の両方は、別の可搬のモジュラーコンポーネントの前記雄の端部の前記円柱形の本体を着脱可能に受け入れて係合するように構成された円柱形のレセプタクルを有する、および／または（ｉｉｉ）前記端部のひとつは前記雄の端部を有し、他の前記端部は雌の円柱形のレセプタクルを有し、
前記雌の端部の少なくとも１つが、前記雄の端部のひとつと解除可能に係合する前記第１のロック用アセンブリを備える、可搬のモジュラーコンポーネント。
【請求項４０】
前記雌の円柱形のレセプタクルの両方は、前記雄の端部のひとつと解除可能に係合するロック用アセンブリを備える、請求項３９に記載の可搬のモジュラーコンポーネント。
【請求項４１】
前記ロック用アセンブリは、前記可搬のモジュラーコンポーネントの別のひとつから外方向に延びる雄の端部のアセンブリのベースに提供される第１のロックスプロケットに可逆的に係合するように構成されている、請求項３９または４０に記載の可搬のモジュラーコンポーネント。
【請求項４２】
前記ロック用アセンブリは、延長および出し入れ可能なインデキシングペグである、請求項４１に記載の可搬のモジュラーコンポーネント。
【請求項４３】
第１の雄の端部のアセンブリの前記ベースに提供された第１のロックスプロケットは、前記可搬のモジュラーコンポーネントのひとつの平面と、前記第１の雄の端部のアセンブリとを着脱可能に係合する平面を有する、請求項４１または４２に記載の可搬のモジュラーコンポーネント。
【請求項４４】
第２の雄の端部のアセンブリのベースに提供された第２のロックスプロケットは、前記第２の雄の端部のアセンブリと、前記可搬のモジュラーコンポーネントのひとつの可搬のモジュラーコンポーネントの丸い面と着脱可能に係合する凹面を有する、請求項４１から４３のいずれか１項に記載のモジュラーコンポーネント。
【請求項４５】
第２のロック用アセンブリは保持ロックを有しており、当該保持ロックは、保持ロックハーフを有し、当該保持ロックハーフは、解除ボタンを有する保持ロックハーフと協働する１つ以上のばねレセプタクルを有する、請求項３９または４０に記載のモジュラーコンポーネント。
【請求項４６】
前記中空の細長い本体部は、ねじ止めされて係合された１つ以上のナットを、当該中空の細長い本体部に沿ってスライドによって受け入れて保持するための１つ以上のチャネルを備える、請求項４５から４９のいずれか１項に記載の可搬のモジュラーコンポーネント。
【請求項４７】
前記中空の細長い本体部は、第１のチャネルと当該第１チャネルと反対の第２のチャネルとを備える、請求項４６に記載の可搬のモジュラーコンポーネント。
【請求項４８】
ナット保持コンポーネントをさらに備え、当該ナット保持コンポーネントは前記中空の細長い本体部内でスライドによって動くように構成されていると共に、当該中空の細長い本体部内に提供されたボアを通じて挿入されたネジまたはボルトをねじ止めして係合可能なように配置可能である、請求項３９に記載の可搬のモジュラーコンポーネント。
【請求項４９】
前記一対の反対向きの端部のひとつと着脱可能に係合するように構成されているエンドプレートをさらに備え、当該エンドプレートは、雄の端部または軸ボルトまたは差込口または取り付けプレートまたはキャップ用モジュールと着脱可能に係合するように構成されている、請求項３９に記載の可搬のモジュラーコンポーネント。
【請求項５０】
１つ以上のチャネルをさらに備え、当該１つ以上のチャネルは、当該１つ以上のチャネルに沿って、前記中空の細長い本体部の内壁う備え、当該中空の細長い本体部には、雄の端部、雌の端部またはエンドプレートを１つ以上の対応する留め具で確実に取り付けるために設けられている、請求項３９に記載の可搬のモジュラーコンポーネント。